(57)【要約】【課題】  作業効率を下げることなく、かつ、コスト削減を行うことが可能な、気体中の固形物除去装置を提供する。【解決手段】  ロール状の粗塵フィルタを、一定の間隔を有するように折り曲げて複数段階に構成した気体中の固形物除去装置。【選択図】        図４
2005205406.tif 000002
【特許請求の範囲】
【請求項１】
気流を形成するための気流形成手段と、
前記気流形成手段により形成した気流の流れ方向を規制する気流方向規制手段と、
前記気流方向規制手段によって方向付けされた気流の流れ方向に対して略直交するように気体の通過可能な開口を有する部材を設けた気体中の固形物除去装置において、
前記部材は、１つの前記部材を前記気流の流れ方向に対して一定の間隔をあけて複数回折り返し、多段階に設けられているものであることを特徴とする、気体中の固形物除去装置。
【請求項２】
前記部材は、気流の流れ方向に対して略直交する面積の一部分が空間となるように設けられているものであることを特徴とする、請求項１記載の気体中の固形物除去装置。
【請求項３】
前記部材は、気流の流れ方向に対して略直交する面積の全面に設けられているものであることを特徴とする、請求項１記載の気体中の固形物除去装置。
【請求項４】
前記部材は、前記気流の流れ方向に対して略直交するように複数設けられているものであることを特徴とする、請求項１〜３の何れか１項に記載の気体中の固形物除去装置。
【請求項５】
前記部材は、前記気流の流れ方向に複数設けられているものであることを特徴とする、請求項１〜４の何れか１項に記載の気体中の固形物除去装置。
【請求項６】
前記部材は、開口の大きさが同じか、または異なる部材が複数重ね合わされているものであることを特徴とする、請求項１〜５の何れか１項に記載の気体中の固形物除去装置。
【請求項７】
前記部材は、長尺であり、前記気流の流れ方向下流側から上流側に向かって順次繰り出されて前記多段階に構成されているものであることを特徴とする、請求項１〜６の何れか１項に記載の気体中の固形物除去装置。
【請求項８】
前記部材は、長尺であり、前記気流の流れ方向上流側から下流側に向かって順次繰り出されて前記多段階に構成されているものであることを特徴とする、請求項１〜６の何れか１項に記載の気体中の固形物除去装置。
【請求項９】
前記部材は、前記気流の流れ方向に対して垂直方向に上下多段に設けられることを特徴とする、請求項７または８に記載の気体中の固形物除去装置。
【請求項１０】
前記部材は、前記部材の一部に切り込みが設けられているものであることを特徴とする、請求項１〜９の何れか１項に記載の気体中の固形物除去装置。
【請求項１１】
前記部材は、前記部材の一部が切り取られているものであることを特徴とする、請求項１〜１０の何れか１項に記載の気体中の固形物除去装置。
【請求項１２】
前記部材の開口の大きさは、前記部材の全面において均一ではないことを特徴とする、請求項１〜１１の何れか１項に記載の気体中の固形物除去装置。
【請求項１３】
前記部材の厚さは、前記部材の全面において均一ではないことを特徴とする、請求項１〜１２の何れか１項に記載の気体中の固形物除去装置。
【請求項１４】
前記部材の密度は、前記部材の全面において均一ではないことを特徴とする、請求項１〜１３の何れか１項に記載の気体中の固形物除去装置。
【請求項１５】
気流を形成するための気流形成手段と、
前記気流形成手段により形成した気流の流れ方向を規制する気流方向規制手段と、
前記気流方向規制手段によって方向付けされた気流の流れ方向に対して略直交するように気体の通過可能な開口を有する部材を設けた気体中の固形物除去装置において、
前記部材は、複数の前記部材を重ね合わせて一部を止め合わせられ、該重ね合わせた各部材の間に消臭剤を内包していることを特徴とする、気体中の固形物除去装置。
【請求項１６】
気流を形成するための気流形成手段と、
前記気流形成手段により形成した気流の流れ方向を規制する気流方向規制手段と、
前記気流方向規制手段によって方向付けされた気流の流れ方向に対して略直交するように気体の通過可能な開口を有する部材を設けた気体中の固形物除去装置において、
前記部材は、複数の前記部材を重ね合わせて一部を止め合わせられ、該重ね合わせた各部材の間に除菌または殺菌効果のある部材を内包していることを特徴とする、気体中の固形物除去装置。
【請求項１７】
気流を形成するための気流形成手段と、
前記気流形成手段により形成した気流の流れ方向を規制する気流方向規制手段と、
前記気流方向規制手段によって方向付けされた気流の流れ方向に対して略直交するように気体の通過可能な開口を有する部材を設けた気体中の固形物除去装置において、
前記部材は、複数の前記部材を重ね合わせて一部を止め合わせられ、該重ね合わせた各部材の間にガス吸着剤を内包していることを特徴とする、気体中の固形物除去装置。
【請求項１８】
気流を形成するための気流形成手段と、
前記気流形成手段により形成した気流の流れ方向を規制する気流方向規制手段と、
前記気流方向規制手段によって方向付けされた気流の流れ方向に対して略直交するように気体の通過可能な開口を有する部材を設けた気体中の固形物除去装置において、
前記部材は、複数の前記部材を重ね合わせて一部を止め合わせられ、該重ね合わせた各部材の間に乾燥剤を内包していることを特徴とする、気体中の固形物除去装置。
【請求項１９】
気流を形成するための気流形成手段と、
前記気流形成手段により形成した気流の流れ方向を規制する気流方向規制手段と、
前記気流方向規制手段によって方向付けされた気流の流れ方向に対して略直交するように気体の通過可能な開口を有する部材を設けた気体中の固形物除去装置において、
前記部材は、複数の前記部材を重ね合わせて一部を止め合わせられ、該重ね合わせた各部材の間に脱酸素剤を内包していることを特徴とする、気体中の固形物除去装置。
【発明の詳細な説明】
【技術分野】
【０００１】
本発明は、気体中に存在する塵埃や微生物、煙などの固形物除去、および臭気、雑菌や細菌などの除菌および殺菌を行う装置に関するものである。
【背景技術】
【０００２】
半導体やＴＡＫフィルムなどの製造を行うクリーンルームなどにおいて、空気中の固形物を除去（空気清浄）するものとして、一般的に空気の流れ方向に対して直交するように複数種類のフィルタなどを設けた空気清浄機が設けられていることが知られている。
【０００３】
クリーンルームなどに使用される空気清浄機は、図１及び図２に示すように、気体の方向規制手段である流通路２の内部に、気体の流れの上流に最も目の粗いフィルタ３、一番下流には最も目の細かいフィルタ４を、上流から段階的に各種フィルタが設置されており、各段階のフィルタによって、空気中に存在する固形物５の大きさの大きいものから順に固形物の除去を行っている。具体的には、最も目の粗いフィルタである粗塵フィルタとしてポリエステルファイバー等が多く用いられている。また、その次の段階のフィルタである中性能フィルタ、最も目の細かい高性能フィルタとしては、ガラスファイバーや不織布等が多く用いられている。
【０００４】
これらの複数のフィルタは、一定時間経つにつれて空気中の固形物５を除去することにより目詰まりをおこすため、気流の上流側と下流側で圧力差が生じ、流れ方向下流側の風量が低下してしまう。これを回避するために、気体の流路の途中に圧力調節用の装置（ダンパー等）を設けて調整が行われていることもある。
【０００５】
このようにして設けられている複数のフィルタは定期的（おおよそ２ヶ月毎）に清掃若しくは交換を行う必要があり、そのたびに空気清浄機だけではなく、工場内全ての装置を停止させなければならないため、一時的に生産性が低下するといった問題が発生する。しかも中性能・高性能のフィルタは高価であるため、交換する際に発生する費用は事業主にとって大きな負担となっている。
【０００６】
そこで特許文献１では、粗塵フィルタの濾布と濾布間に隙間を設けて粗塵フィルタを２重にすることにより捕集効率を上げて、メインフィルタである中性能・高性能フィルタの代わりになる１段形式のフィルタが記載されている。詳細には、粗塵フィルタを２枚重ね、濾過面積が最大になるように蛇腹状に折り込んだものを、装置の外枠内に配置して空気の濾過を行い、初期圧損と現在の圧損を比較して寿命の延長を確認している。
【０００７】
また、本発明者は特願２００３−１２１７２０にて、目の粗いフィルタ（粗塵フィルタ）３を、気体の流路の一部に空間を有するように設けることにより、フィルタ間の差圧を少なくして空気中の固形物５（塵埃）を高性能フィルタ並に除去することが可能であることを提案した。
【０００８】
しかし、特許文献１の課題はフィルタの長寿命化であるため、その構成は従来と変わらないフィルタをパネルにはめ込んだパネル式である。そのため、フィルタの清掃や交換を行うためには、一定期間経過したときにパネルの取り外しを行わなくてはならない。従って、フィルタ交換と同じタイミングで空気清浄機の動作を止めなくてはならず、生産性が低下するといった問題が克服されない。
【特許文献１】特開２００３−１８１２２３号公報
【発明の開示】
【発明が解決しようとする課題】
【０００９】
本発明は上記問題点を克服するためになされたものであり、気体中の固形物除去を行うフィルタを気体の流路の流れ方向の一部に設けることにより、中性能・高性能フィルタの寿命を延ばすと共に、生産性を大きく低下させることなく、すなわち装置の稼働をあまり止めずにフィルタの交換を行うことが可能な気体中の固形物除去装置１およびその方法の提供を目的とする。
【００１０】
また、通常設けられている各種フィルタの汚れを抑え、各種フィルタの清掃及び交換作業の回数削減を行うことができる、気体中の固形物除去装置１の提供も目的とする。
【００１１】
さらには、気体中の固形物の除去と同時に、臭気や雑菌・細菌なども除去することが可能である、気体中の固形物除去装置１の提供を目的とする。
【課題を解決するための手段】
【００１２】
本発明者は、安価なフィルタを使用した、容易な構成で捕集効率の高い装置の検討を行った。また、この装置を中・高性能フィルタの予備フィルタ（プレフィルタ）として流れ方向の上流に設けることにより、中・高性能フィルタの寿命を延ばすことができるかの検討を行った。
【００１３】
そして、上記目的は、
（１）気流を形成するための気流形成手段と、前記気流形成手段により形成した気流の流れ方向を規制する気流方向規制手段と、前記気流方向規制手段によって方向付けされた気流の流れ方向に対して略直交するように気体の通過可能な開口を有する部材を設けた気体中の固形物除去装置において、前記部材は、１つの前記部材を前記気流の流れ方向に対して一定の間隔をあけて複数回折り返し、多段階に設けられているものであることを特徴とする、気体中の固形物除去装置。
（２）前記部材は、気流の流れ方向に対して略直交する面積の一部分が空間となるように設けられているものであることを特徴とする、（１）の気体中の固形物除去装置。
（３）前記部材は、気流の流れ方向に対して略直交する面積の全面に設けられているものであることを特徴とする、（１）の気体中の固形物除去装置。
（４）前記部材は、前記気流の流れ方向に対して略直交するように複数設けられているものであることを特徴とする、（１）〜（３）の何れか１項に記載の気体中の固形物除去装置。
（５）前記部材は、前記気流の流れ方向に複数設けられているものであることを特徴とする、（１）〜（４）の何れか１項に記載の気体中の固形物除去装置。
（６）前記部材は、開口の大きさが同じか、または異なる部材が複数重ね合わされているものであることを特徴とする、（１）〜（５）記載の気体中の固形物除去装置。
（７）前記部材は、長尺であり、前記気流の流れ方向下流側から上流側に向かって順次繰り出されて前記多段階に構成されているものであることを特徴とする、（１）〜（６）の何れか１項に記載の気体中の固形物除去装置。
（８）前記部材は、長尺であり、前記気流の流れ方向上流側から下流側に向かって順次繰り出されて前記多段階に構成されているものであることを特徴とする、（１）〜（６）の何れか１項に記載の気体中の固形物除去装置。
（９）前記部材は、前記気流の流れ方向に対して垂直方向に上下多段に設けられることを特徴とする、（７）または（８）に記載の気体中の固形物除去装置。
（１０）前記部材は、前記部材の一部に切り込みが設けられているものであることを特徴とする、（１）〜（９）の何れか１項に記載の気体中の固形物除去装置。
（１１）前記部材は、前記部材の一部が切り取られているものであることを特徴とする、（１）〜（１０）の何れか１項に記載の気体中の固形物除去装置。
（１２）前記部材の開口の大きさは、前記部材の全面において均一ではないことを特徴とする、（１）〜（１１）の何れか１項に記載の気体中の固形物除去装置。
（１３）前記部材の厚さは、前記部材の全面において均一ではないことを特徴とする、（１）〜（１２）の何れか１項に記載の気体中の固形物除去装置。
（１４）前記部材の密度は、前記部材の全面において均一ではないことを特徴とする、（１）〜（１３）の何れか１項に記載の気体中の固形物除去装置。
（１５）気流を形成するための気流形成手段と、前記気流形成手段により形成した気流の流れ方向を規制する気流方向規制手段と、前記気流方向規制手段によって方向付けされた気流の流れ方向に対して略直交するように気体の通過可能な開口を有する部材を設けた気体中の固形物除去装置において、前記部材は、複数の前記部材を重ね合わせて一部を止め合わせられ、該重ね合わせた各部材の間に消臭剤を内包していることを特徴とする、気体中の固形物除去装置。
（１６）気流を形成するための気流形成手段と、前記気流形成手段により形成した気流の流れ方向を規制する気流方向規制手段と、前記気流方向規制手段によって方向付けされた気流の流れ方向に対して略直交するように気体の通過可能な開口を有する部材を設けた気体中の固形物除去装置において、前記部材は、複数の前記部材を重ね合わせて一部を止め合わせられ、該重ね合わせた各部材の間に除菌または殺菌効果のある部材を内包していることを特徴とする、気体中の固形物除去装置。
（１７）気流を形成するための気流形成手段と、前記気流形成手段により形成した気流の流れ方向を規制する気流方向規制手段と、前記気流方向規制手段によって方向付けされた気流の流れ方向に対して略直交するように気体の通過可能な開口を有する部材を設けた気体中の固形物除去装置において、前記部材は、複数の前記部材を重ね合わせて一部を止め合わせられ、該重ね合わせた各部材の間にガス吸着剤を内包していることを特徴とする、気体中の固形物除去装置。
（１８）気流を形成するための気流形成手段と、前記気流形成手段により形成した気流の流れ方向を規制する気流方向規制手段と、前記気流方向規制手段によって方向付けされた気流の流れ方向に対して略直交するように気体の通過可能な開口を有する部材を設けた気体中の固形物除去装置において、前記部材は、複数の前記部材を重ね合わせて一部を止め合わせられ、該重ね合わせた各部材の間に乾燥剤を内包していることを特徴とする、気体中の固形物除去装置。
（１９）気流を形成するための気流形成手段と、前記気流形成手段により形成した気流の流れ方向を規制する気流方向規制手段と、前記気流方向規制手段によって方向付けされた気流の流れ方向に対して略直交するように気体の通過可能な開口を有する部材を設けた気体中の固形物除去装置において、前記部材は、複数の前記部材を重ね合わせて一部を止め合わせられ、該重ね合わせた各部材の間に脱酸素剤を内包していることを特徴とする、気体中の固形物除去装置。
【００１４】
によって達成される。
【発明の効果】
【００１５】
本発明の（１）〜（１４）の構成によれば、気体の通過可能な開口を有する部材であるフィルタを多段階に形成して設けることにより、気体中の固形物の捕集効率を上げることができ、また、各段階のフィルタ間に空間を設けているため、気流がフィルタに衝突する毎に流速が遅くなることで各フィルタ間に乱流が発生し、フィルタの表裏両面から固形物の捕集が可能となる。さらには、より細かい固形物である塵埃に対してはブラウン運動の効果が発生するため、目の粗い粗塵フィルタでも煙などのごく細かい固形物を取り除くことも可能である。
【００１６】
特に、気体の通過可能な開口を有する部材としてロールフィルタを用いた場合には、多段階に形成したフィルタは、気体の流れ方向下流から上流、または気体の流れ方向上流から下流へとロールフィルタが繰り出されることにより、つまり、下流側のフィルタから順々に新しいフィルタが繰り出されていくことにより、装置全体の稼働停止回数を大幅に減少させることができるため、作業効率を下げずに作業を続けることができる。
この場合、フィルタを流れ方向上流側から下流側に繰り出しても、反対に、流れ方向下流側から上流側へと繰り出しても、フィルタは固形物を表面のみで捕集するのではなく、フィルタの内部でも捕集・保持するため効果はあるが、フィルタを下流側から上流側に繰り出して下流側のフィルタから新しいフィルタに変わっていくようにすると、粗塵フィルタ自体のコストを削減することが可能であるため、望ましい構成である。
しかも、フィルタは気体の流れ方向下流側から上流側へとロールフィルタを送り出して下流側のフィルタから新しいフィルタに変わっていくため、粗塵フィルタ自体のコスト削減をすることが可能である。
【００１７】
さらには、中性能・高性能フィルタよりも上流に本発明のフィルタをプレフィルタとして設けることにより、中性能・高性能フィルタの寿命を延ばすことができるため、高価である中性能・高性能フィルタのコストを削減することができる。
【００１８】
そして、本発明のフィルタは、気体の流路であれば装置のどの位置に設けても良く、特に、開口を有する部材の一部分に空間や切り込み、切り取り、厚さや密度を不均一にした構成として下流への風量低下防止を図り、気体の流路の外側に設ける場合は、装置の可動を止めることなく、本発明のフィルタの設置を行うことができる。
【００１９】
本発明の（１５）の構成によれば、気体中の固形物と共に臭気を取り除くことが可能である。
【００２０】
本発明の（１６）の構成によれば、気体中の固形物と共に、雑菌などを取り除くことが可能であるため、無菌室などの空気洗浄に用いることも可能である。
【００２１】
本発明の（１７）〜（１９）の構成によれば、気体中の固形物と共に、気体中の不要なガス、湿気（水分）、酸素を減少または取り除くことが可能である。
【発明を実施するための最良の形態】
【００２２】
以下、本発明の実施の形態を説明する。なお、本欄の記載は請求項の技術的範囲や用語の意義を限定するものではない。また、以下の本発明の実施の形態における断定的な説明は、その一例を示すものであって、本発明の用語の意義や技術的範囲を限定するものではない。
【００２３】
最初に、本発明に係る実施の一形態にかかる気体中の固形物除去装置１について説明する。
【００２４】
図３は一般的な気体中の固形物除去装置１の概略図である。気体中の固形物除去装置１は、気体の方向規制手段である流通路２が設けられており、この流通路２の内部には、気体の流れの最上流に最も目の粗いフィルタ（以下、粗塵フィルタとする）３、最下流付近には最も目の細かいフィルタ（以下、高性能フィルタとする）４といった配置になるように、上流から段階的に設置されている。
【００２５】
固形物５の形状は、平面状や立体的のもの、例えば、ひも状のもの、球形や円盤形、直方体など多くの形状のものや、これらの形状が組み合わさった固形物５がある。
【００２６】
このような形状の固形物を多く含んだ気体は、流通路２によって方向付けは行われているが、気体は空間を直線的に流れるものではなく、また重力も働いているので、固形物５も直線的には流れていないと考えられる。そして、気体と気体中の固形物がフィルタ内部を通過する時は、フィルタの厚み部分で気体の乱流が発生するため、実際のフィルタの目（開口部）の大きさよりも小さな固形物を除去することが可能である。また、多段階に設定されたフィルタに気体が衝突するたびに気体の流速は下がっていくが、ごく微少な固形物はブラウン運動の影響を受けることにより不規則な動きをするので、フィルタの流れ方向最上流のフィルタ表面のファイバー（繊維）だけではなく、フィルタ内部のファイバー部分によっても除去される。これは、日本ケンブリッジフィルター株式会社発行のカタログにも記載されている効果である。
【００２７】
次に、本発明の一実施形態に係る、粗塵フィルタ３をロール状にしたロールフィルタ６を用いた構成について説明する。
【００２８】
図４は本発明の一実施形態である、ロールフィルタを用いて各段階のフィルタに間隔をあけて、気体の流れ方向に対してフィルタが略直交になるように折り返されて３段階に構成されたフィルタである。ここでは、流路内部の最上部と最下部に折り返し点を設けているが、この構成に限られるものではない。
【００２９】
まず気流の流れ方向上流に設けられる第１段階Ａは、気体中の塵埃濃度が高いため、大型の固形物をできるだけ多く除去することを目的としている。そのため、気体がフィルタに接する面積が大きくなるように、また、気体がフィルタを通過する距離が長くなるように、気流の流れ方向に対して上流側と下流側で折り返して搬送される蛇腹状に形成したものが設けられている。また、間隔をあけて設けられている第２段階Ｂ、第３段階Ｃは気体の流れ方向に対して略直交に設けられている。
【００３０】
そしてロールフィルタは、気流の流れ方向下流になる元巻きフィルタから始まり、第３段階Ｃ、第２段階Ｂ、第１段階Ａへと順々に繰り出され、最終的に流れ方向上流で使用済みフィルタとして巻き取られる構成となっている。
【００３１】
第３段階Ｃと第２段階Ｂの折り返し部ｙと、第２段階Ｂと第１段階Ａの折り返し部ｘでは、装置の部材とロールフィルタが接触することにより捕集された固形物の一部分がこぼれ落ちることも考えられる。しかし、図５および図６で示すように、もしもこぼれ落ちたとしても流れ方向下流側にある次段階のフィルタによって回収されるため、このことに関しては懸念する必要はない。
【００３２】
図４では、第１段階Ａから第３段階Ｃまでの各フィルタは、気体の流路を全て塞ぐように設けられているが、図７のように流路の一部に隙間を取るように設けてもよい。隙間を設けることにより、フィルタを挟んだ流れ方向上流と下流の流量に差が出ることを防ぐことができる。
【００３３】
また、隙間から下流に流れ込む気流と、フィルタを通過してきた気流とが合流することにより乱流が発生するため、上流よりも固形物の濃度は薄まり、捕集率も上がる。さらには、隙間を設けることにより隙間の部分は流速が速くなるが、逆に隙間を設けていない部分はその分流速が落ちる。フィルタにおいては、流速が遅い方が固形物の捕集率を上げることができる。これは、日本バイリーン株式会社のカタログにも記載されている効果である。
【００３４】
また、各段階のフィルタは一定の間隔をあけて設けられているため、フィルタの厚み内部だけでなく各段階のフィルタ間でも乱流が発生する。そのため、フィルタの気流の流れ方向上流面側からだけではなく下流面側からでも固形物を捕集することが可能である。つまり、ロールフィルタが折り返されることによって気流の流れ方向上流面となる面が入れ替わるが、そのどちらの面が流れ方向上流になっても、固形物を捕集する。さらには、ごく微少な固形物はブラウン運動の影響を受けるため、実際のフィルタ開口部よりも小さな塵埃を捕集することが可能となる。
【００３５】
そして、本発明の構成により、各段階のフィルタの表面、裏面のどちらの面からでも大きさの異なる塵埃を捕集することが可能であるため、本発明の構成のフィルタを中性能・高性能フィルタのプレフィルタとして設けたときには、中性能・高性能フィルタの寿命を延ばすことができる。
【００３６】
以上、本発明の一実施形態として述べたがこれらの構成にとらわれることはなく、例えば、ロールフィルタの代わりにエンドレスフィルタを用いてもよい。この場合、装置の一部に洗浄機能や粘着剤等の塗布再生機能を有する洗浄再生装置８を設けてあるため、半永久的に使用が可能となり、作業効率を下げることなく、気体の固形物除去を行うことが可能となる（図８、図９）。また、図４では第１段階Ａを気流の流れ方向に対して上流側と下流側で折り返される蛇腹状に形成したが、蛇腹状に形成せずに第２・第３段階のＢ、Ｃと同様にして各段階を形成してもよく、フィルタの段階も３段階以上設けてもよいし（図１０）、本発明の構成を流通路２の流れ方向の一個所の上下に設けてもよい（図１１）し、流れ方向に一ヵ所ではなく複数設けてもよく、さらには、流れ方向に対し垂直方向多段に設けてもよい（図１２）。
【００３７】
さらには、厚み方向に密度勾配がついているフィルタを気体と接する面が密度が疎の面となるように重ね合わせたフィルタを１つのフィルタとして用いると、折り返されて流れ方向の上流面と下流面に接する面が入れ替わってもフィルタの条件が変わらないため、好ましい構成である。開口率や密度勾配の異なるフィルタを複数枚重ね合わせたりしてもよい。
【００３８】
そして、フィルタの厚さや密度を変えたり（図１３）、フィルタの一部に切り込みや切り取り部分を設けたり、フィルタの開口率を所々大きくしたりして不均一にすると、前述の図７を用いて説明したものと同様の効果により、微少な固形物の捕集率を上げることができる。粘着性のフィルタや、静電気による吸着性を有するフィルタを用いれば、更に捕集効率は上がる。また、フィルタに殺菌性フィルタ、導電性フィルタ、絶縁性フィルタ、海塩粒子用等のフィルタを用いてもよい。
【００３９】
図１４は、本発明に係る気体中の固形物除去装置１を用いて、気体中の固形物と同時に臭気を除去するためのフィルタの一実施形態である。このフィルタは、フィルタを２枚重ね合わせて所々を止め合わせた後、止め合わせていない部分に臭気を脱臭または消臭する効力のある部材（以後消臭剤９とする）を挟み込んでいるフィルタである。上述のようなフィルタの形態は一般的にキルト状と呼ばれている。２枚のフィルタの間に挟む消臭剤９は板状の物でもよいが、図１１では粒子状の消臭剤９を挟んでいる。粒子状の消臭剤９の方が表面積が大きくなるため、粒子状の消臭剤９を挟み込む方が好ましい。
【００４０】
図１５は、本発明に係る気体中の固形物除去装置１を用いて、気体中の固形物と同時に雑菌や細菌を除去するためのフィルタの一実施形態である。先に説明した図１４と同様のフィルタの構成であり、２枚のフィルタ間に挟み込む部材に除菌効果、殺菌効果のある部材（以下殺菌剤１０とする）を挟むことにより、気体中の固形物の除去と同時に気体の除菌・殺菌を行うことができる。殺菌剤１０も消臭剤９と同様に、２枚のフィルタ間に挟み込む殺菌剤１０は板状の物でもよいが、殺菌剤１０の表面積が大きくなるため、粒子状の殺菌剤１０を用いる方が好ましい。この構成によれば、特に医療関係における減圧室内の空気と外部空気との接点である通気口に設けることにより、減圧室内部の空気を除菌・殺菌処理することが可能となる。
【００４１】
ここでは、粗塵フィルタ３を２枚重ねてキルト状にしているが、粗塵フィルタに限らず目の細かいフィルタでもよい。また、これらの粗塵フィルタ３を複数枚重ねてもよく、その場合は、異なる性能を有する部材、たとえば、消臭剤９と殺菌剤１０の両方を挟み込むことができる。これはキルト状の形状に限らず、箱形や筒形として内包しキャタピラー（登録商標）状に継いでもよい。この構成によれば、消臭剤や殺菌剤の交換が容易となる。
【００４２】
これら消臭剤９、殺菌剤１０を間に挟み込みまたは箱や筒に内包したフィルタを、ロールフィルタ形状を含む搬送フィルタとして本発明の装置に使用すると、装置をほぼ止めることなく稼働することができ、さらには、気体中の固形物除去だけではなく、気体中の臭気や雑菌などの除去を行うことができる。
【００４３】
またここでは、消臭剤９、殺菌剤１０を挟み込みまたは内包するとしているが、この形態にこだわるものではなく、ガス吸着剤や乾燥剤、脱酸素剤、芳香剤等を気体の流れ方向下流の必要環境に応じて使い分け、または組み合わせて内包してもよい。これにより、気体中の固形物除去だけではなく、気体中の有害ガスの除去、湿度調節、酸素濃度調節、芳香の調節等を行うことができる。
【図面の簡単な説明】
【００４４】
【図１】従来の固形物除去装置の概念図である。
【図２】従来の固形物除去の考え方を示す図である。
【図３】一般的な固形物除去装置の概略図である。
【図４】本発明に係る気体中の固形物除去装置の具体例を示す模式図である。
【図５】本発明に係る気体中の固形物除去装置の一部を示す模式図である。
【図６】本発明に係る気体中の固形物除去装置の一部を示す模式図である。
【図７】本発明に係る気体中の固形物除去装置の別の例を示す模式図である。
【図８】本発明に係る気体中の固形物除去装置の別の例を示す模式図である。
【図９】本発明に係る気体中の固形物除去装置の別の例を示す模式図である。
【図１０】本発明に係る気体中の固形物除去装置の別の例を示す模式図である。
【図１１】本発明に係る気体中の固形物除去装置の別の例を示す模式図である。
【図１２】本発明に係る気体中の固形物除去装置の別の例を示す模式図である。
【図１３】本発明に係るフィルタの一例を示す図である。
【図１４】本発明に係るフィルタの一例を示す図である。
【図１５】本発明に係るフィルタの一例を示す図である。
【符号の説明】
【００４５】
１  固形物除去装置
２  流通路
３  目の粗いフィルタ（粗塵フィルタ）
４  目の細かいフィルタ（高性能フィルタ）
５  固形物
６  ロールフィルタ
７  エンドレスフィルタ
８  フィルタ洗浄部
９  消臭剤
１０  殺菌剤
【図１】
2005205406.tif 000003
【図２】
2005205406.tif 000004
【図３】
2005205406.tif 000005
【図４】
2005205406.tif 000006
【図５】
2005205406.tif 000007
【図６】
2005205406.tif 000008
【図７】
2005205406.tif 000009
【図８】
2005205406.tif 000010
【図９】
2005205406.tif 000011
【図１０】
2005205406.tif 000012
【図１１】
2005205406.tif 000013
【図１２】
2005205406.tif 000014
【図１３】
2005205406.tif 000015
【図１４】
2005205406.tif 000016
【図１５】
2005205406.tif 000017